(57)【要約】【課題】書き込んだ文字や図形等を直感的に消去すること。【解決手段】プロジェクタ用操作デバイス１０の側面スイッチ１６と側面スイッチ１７の両方がオンとなったとき、手書き認識ユニットにより第２周波数（ｆ２）の超音波と第３周波数（ｆ３）の両方の超音波に基づき、側面スイッチ１６と側面スイッチ１７の両方の位置が特定されるとともに、その特定された側面スイッチ１６と側面スイッチ１７との間を消去エリアとする広い範囲の消しゴムモードが実行可能とされるようにし、筐体１１ｂの面全体が消去エリアであることを予め認識でき、書き込んだ文字や図形等を直感的に消去することができるようにした。【選択図】図１０
2010067065.tif 000002
【特許請求の範囲】
【請求項１】
パソコンに接続されるプロジェクタ本体によりボードに投影されたパソコン画面の画像に書き込みを加えたり、所定箇所を消去したりするプロジェクタ用操作デバイスであって、
前記ボードへのタッチによりオンする第１スイッチ及び第２スイッチと、
該第２スイッチとは離れた位置に設けられ、前記ボードへのタッチによりオンする第３スイッチとを有し、
少なくとも、
前記第２スイッチと前記第３スイッチのいずれか一方がオンとなったとき、そのオンとなった前記第２スイッチと前記第３スイッチのいずれか一方の周囲のみが消去エリアとされ、
前記第２スイッチと前記第３スイッチの両方がオンとなったとき、そのオンとなった前記第２スイッチと前記第３スイッチとの間が消去エリアとされる
ことを特徴とするプロジェクタ用操作デバイス。
【請求項２】
前記第１スイッチは長尺状の筐体の先端側に設けられ、
前記第２スイッチは前記筐体の側面又は背面の長手方向の一方の端部に設けられ、
前記第３スイッチは前記長手方向の他方の端部に設けられ、
さらに、
前記第１スイッチの近傍に配置され、該第１スイッチがオンすると第１周波数の超音波を発する第１超音波発生手段と、
前記第２スイッチの近傍に配置され、該第２スイッチがオンすると第２周波数の超音波を発する第２超音波発生手段と、
前記第３スイッチの近傍に配置され、該第３スイッチがオンすると第３周波数の超音波を発する第３超音波発生手段とを有し、
少なくとも、
前記第２スイッチと前記第３スイッチのいずれか一方がオンとなったとき、前記第２周波数の超音波と前記第３周波数のいずれか一方の超音波に基づき、前記第２スイッチと前記第３スイッチのいずれか一方の位置が特定され、その特定された前記第２スイッチと前記第３スイッチのいずれか一方の周囲のみを消去エリアとする狭い範囲の消しゴムモードが実行可能とされ、
前記第２スイッチと前記第３スイッチの両方がオンとなったとき、前記第２周波数の超音波と前記第３周波数の両方の超音波に基づき、前記第２スイッチと前記第３スイッチの両方の位置が特定され、その特定された前記第２スイッチと前記第３スイッチとの間を消去エリアとする広い範囲の消しゴムモードが実行可能とされる
ことを特徴とする請求項１に記載のプロジェクタ用操作デバイス。
【請求項３】
前記第２スイッチは、前記一方の端部の角部に設けられ、
前記第３スイッチは、前記他方の端部の角部に設けられている
ことを特徴とする請求項２に記載のプロジェクタ用操作デバイス。
【請求項４】
前記筐体の表面には、前記パソコンに対して所定のコマンドを実行させるための複数のキースイッチを有する操作部が設けられ、
前記筐体の所定の箇所には、前記キースイッチに対応した赤外線コードを発信する赤外線コード発信手段が設けられている
ことを特徴とする請求項２又は３に記載のプロジェクタ用操作デバイス。
【請求項５】
パソコンに接続され、該パソコンの画面の画像をボードに投影するプロジェクタ本体と、
前記投影された画像に書き込みを加えたり、所定箇所を消去したりするプロジェクタ用操作デバイスと、
少なくとも、該プロジェクタ用操作デバイスの前記画像上におけるタッチされた位置を検出し、その位置情報と前記プロジェクタ用操作デバイス側の操作内容を示す操作情報とをパソコン側に伝える手書き認識ユニットとを備え、
前記プロジェクタ用操作デバイスは、
前記ボードへのタッチによりオンする第１スイッチ及び第２スイッチと、
該第２スイッチとは離れた位置に設けられ、前記ボードへのタッチによりオンする第３スイッチとを有する
ことを特徴とするプロジェクタ。
【請求項６】
前記手書き認識ユニットは、
前記第１〜第３スイッチのオンに伴い、該第１〜第３スイッチまでの距離を測定する距離測定手段と、
該距離測定手段によって測定された距離に基づき、いずれかの前記第１〜第３スイッチの位置を求めるとともに、少なくとも、前記第２スイッチと前記第３スイッチのいずれか一方の周囲のみを消去エリアとするか、あるいは前記第２スイッチと前記第３スイッチとの間を消去エリアとするコマンドを実行させるためのデータを生成する制御処理手段と、
該制御処理手段によって生成されたデータを前記パソコンに送信するデータ送信手段とを備える
ことを特徴とする請求項５に記載のプロジェクタ。
【請求項７】
前記プロジェクタ用操作デバイスは、
前記第１スイッチが長尺状の筐体の先端側に設けられ、
前記第２スイッチが前記筐体の側面又は背面の長手方向の一方の端部に設けられ、
前記第３スイッチが前記長手方向の他方の端部に設けられ、
さらに、
前記第１スイッチの近傍に配置され、該第１スイッチがオンすると第１周波数の超音波を発する第１超音波発生手段と、
前記第２スイッチの近傍に配置され、該第２スイッチがオンすると第２周波数の超音波を発する第２超音波発生手段と、
前記第３スイッチの近傍に配置され、該第３スイッチがオンすると第３周波数の超音波を発する第３超音波発生手段とを有し、
前記手書き認識ユニットは、
所定の間隔をおいて配置されるとともに、前記第１周波数〜第３周波数の超音波を検知する第１及び第２超音波検知手段と、
これらの第１及び第２超音波検知手段によって検知された超音波のうち、前記第１周波数〜第３周波数のそれぞれの帯域のみを抽出する第１抽出手段〜第３抽出手段とを有し、
前記距離測定手段が該第１抽出手段〜第３抽出手段のいずれかによって前記第１周波数〜第３周波数のいずれかの帯域が抽出されると、前記第１及び第２超音波検知手段による超音波の検知時における位相差からいずれかの前記第１〜第３スイッチまでの距離を測定し、
前記制御処理手段が該距離測定手段によって測定された距離に基づき、いずれかの前記第１〜第３スイッチの位置を求めるとともに、少なくとも、前記第２スイッチと前記第３スイッチのいずれか一方がオンとなったとき、前記第２スイッチと前記第３スイッチのいずれか一方の周囲のみを消去エリアとするコマンドを実行させるためのデータを生成し、前記第２スイッチと前記第３スイッチの両方がオンとなったとき、前記第２スイッチと前記第３スイッチとの間を消去エリアとするコマンドを実行させるためのデータを生成する
ことを特徴とする請求項５又は６のいずれかに記載のプロジェクタ。
【請求項８】
パソコンに接続され、該パソコンの画面の画像をボードに投影するプロジェクタ本体と、前記投影された画像に書き込みを加えたり、所定箇所を消去したりするプロジェクタ用操作デバイスと、少なくとも、該プロジェクタ用操作デバイスの前記画像上におけるタッチされた位置を検出し、その位置情報と前記プロジェクタ用操作デバイス側の操作内容を示す操作情報とをパソコン側に伝える手書き認識ユニットとを備えるプロジェクタの投影画像の消去方法であって、
前記プロジェクタ用操作デバイスは、
第１スイッチ又は第２スイッチが前記ボードへのタッチによりオンする工程と、
該第２スイッチとは離れた位置に設けられた第３スイッチが前記ボードへのタッチによりオンする工程とを有する
ことを特徴とするプロジェクタの投影画像の消去方法。
【請求項９】
前記手書き認識ユニットは、
距離測定手段が、前記第１〜第３スイッチのオンに伴い、該第１〜第３スイッチまでの距離を測定する工程と、
制御処理手段が、該距離測定手段によって測定された距離に基づき、いずれかの前記第１〜第３スイッチの位置を求めるとともに、少なくとも、前記第２スイッチと前記第３スイッチのいずれか一方の周囲のみを消去エリアとするか、あるいは前記第２スイッチと前記第３スイッチとの間を消去エリアとするコマンドを実行させるためのデータを生成する工程と、
データ送信手段が、該制御処理手段によって生成されたデータを前記パソコンに送信する工程とを有する
ことを特徴とする請求項８に記載のプロジェクタの投影画像の消去方法。
【請求項１０】
前記プロジェクタ用操作デバイスは、
前記第１スイッチが長尺状の筐体の先端側に設けられ、
前記第２スイッチが前記筐体の側面又は背面の長手方向の一方の端部に設けられ、
前記第３スイッチが前記長手方向の他方の端部に設けられ、
さらに、
前記第１スイッチの近傍に配置された第１超音波発生手段が、該第１スイッチがオンすると第１周波数の超音波を発する工程と、
前記第２スイッチの近傍に配置された第２超音波発生手段が、該第２スイッチがオンすると第２周波数の超音波を発する工程と、
前記第３スイッチの近傍に配置された第３超音波発生手段が、該第３スイッチがオンすると第３周波数の超音波を発する工程とを有し、
前記手書き認識ユニットは、
所定の間隔をおいて配置された第１及び第２超音波検知手段が、前記第１周波数〜第３周波数の超音波を検知する工程と、
第１抽出手段〜第３抽出手段が、これらの第１及び第２超音波検知手段によって検知された超音波のうち、前記第１周波数〜第３周波数のそれぞれの帯域のみを抽出する工程とを有し、
前記距離測定手段が該第１抽出手段〜第３抽出手段のいずれかによって前記第１周波数〜第３周波数のいずれかの帯域が抽出されると、前記第１及び第２超音波検知手段による超音波の検知時における位相差からいずれかの前記第１〜第３スイッチまでの距離を測定し、
前記制御処理手段が該距離測定手段によって測定された距離に基づき、いずれかの前記第１〜第３スイッチの位置を求めるとともに、少なくとも、前記第２スイッチと前記第３スイッチのいずれか一方がオンとなったとき、前記第２スイッチと前記第３スイッチのいずれか一方の周囲のみを消去エリアとするコマンドを実行させるためのデータを生成し、前記第２スイッチと前記第３スイッチの両方がオンとなったとき、前記第２スイッチと前記第３スイッチとの間を消去エリアとするコマンドを実行させるためのデータを生成する
ことを特徴とする請求項８又は９のいずれかに記載のプロジェクタの投影画像の消去方法。
【発明の詳細な説明】
【技術分野】
【０００１】
本発明は、黒板やホワイトボード等のボードに投影される画像の編集に適したプロジェクタ用操作デバイス、プロジェクタ及びプロジェクタの投影画像の消去方法に関する。
【背景技術】
【０００２】
近年、黒板やホワイトボード等のボードに投影したたとえばＰＣ（パソコン）画面の投影画像に、直接、専用の電子ペンで文字や図形等を書き込んだり、書き込んだ文字や図形等、さらには投影画像の任意の箇所を消去したりすることができるプロジェクタが提案され始めている。
【０００３】
このようなプロジェクタは、たとえばＰＣ（パソコン）の導入が進んでいる学校での使用が考えられる。この場合、教師が、黒板やホワイトボード等のボードに投影されたＰＣ（パソコン）の画像に直接、専用の電子ペンで文字や図形等を書き込んだり、書き込んだ文字や図形等、さらには投影画像の任意の箇所を消去したりすると、ＰＣ（パソコン）画面が教師によって書き込まれたり消去されたりした内容に変更される。その変更されたＰＣ（パソコン）画面の内容が投影されることで、黒板やホワイトボード等のボード上にあたかも専用の電子ペンで直接書き込んだような操作感が得られる。
【０００４】
このようなプロジェクタに関するものとして、特許文献１では、ホワイトボードに貼り付け可能で、表面に操作ボタンが表示されている操作シート器を備え、パソコンは操作シート器に割り当てられている操作ボタン（コマンド等）の情報を含む操作シート器ボタン属性表を記憶しており、マーカーで操作シート器の操作ボタンをクリックすると、座標読取装置を通じてパソコンがそれを検知し、対応するコマンドを実行することで、投影されているパソコンの画面ＤＥＳＫＴＯＰに依存することなく、操作シート器を用いて所望のコマンドをパソコンに実行させることができるようにした普通教室提示システムを提案している。
【特許文献１】特開２００７−２３３９９９号公報
【発明の開示】
【発明が解決しようとする課題】
【０００５】
上述した特許文献１の普通教室提示システムによれば、特別なホワイトボードを用いなくても、表面に操作ボタンが表示されている操作シート器を用いることで、超音波や赤外線の発信機能を備えるマーカーでホワイトボードに板書すると、その位置がＰＣ（パソコン）とＵＳＢ（登録商標）接続されている座標読取装置で検知される。そして、板書の内容（マーカー等で描かれた文字や図形等）がパソコンに取り込まれたり、操作シート器の操作ボタンをマーカーでクリックすることで、当該ボタンに対応付けられた所定の動作をパソコンに対して実行させることができ、利用者（教師）が直感的に操作することができるようになっている。
【０００６】
ところで、マーカーである電子ペンによってホワイトボード上に書き込まれた文字や図形等は、電子ペンの「消しゴムツール」の機能によって消去することができるようになっている。
【０００７】
ここで、黒板やホワイトボード等のボードにチョークやマジックで書き込んだ文字や図形等を黒板消しにより消去する場合と、電子ペンによってホワイトボード上に書き込んだ文字や図形等を電子ペンの「消しゴムツール」の機能によって消去する場合とを比較する。
【０００８】
まず、黒板消しにより消去する場合、図１３（ａ）に示すように、黒板消し２をボード１の消去したい任意の箇所に押し当て、そのまま横方向あるいは縦方向に滑らすようにすると、黒板消し２の長手方向の幅や横方向の幅で文字や図形等が消去される。この場合、黒板消し２の長手方向の幅や横方向の幅で文字や図形等を消すことができるということが予め分かっているため、その書き込んだ文字や図形等を直感的に消すことができる。
【０００９】
これに対し、電子ペンの「消しゴムツール」の機能によって消去する場合、図１３（ｂ）に示すように、「消しゴムツール」の消去エリア（小）又は「消しゴムツール」の消去エリア（大）を選択してから、電子ペン３のペン先を横方向あるいは縦方向に滑らすようようにして文字や図形等を消去することになる。この場合、その消去エリアは電子ペン３のペン先の周囲にあることは分かるものの、文字や図形等を消去して初めて視認できるものである。そのため、消す予定ではない部分を消してしまったり、消したい部分を容易に消せなかったりしてしまい、その消去範囲が直感的に分かり難いという問題があった。
【００１０】
本発明は、このような状況に鑑みてなされたものであり、上記問題点を解決することができるプロジェクタ用操作デバイス、プロジェクタ及びプロジェクタの投影画像の消去方法を提供することを目的とする。
【課題を解決するための手段】
【００１１】
本発明のプロジェクタ用操作デバイスは、パソコンに接続されるプロジェクタ本体によりボードに投影されたパソコン画面の画像に書き込みを加えたり、所定箇所を消去したりするプロジェクタ用操作デバイスであって、前記ボードへのタッチによりオンする第１スイッチ及び第２スイッチと、該第２スイッチとは離れた位置に設けられ、前記ボードへのタッチによりオンする第３スイッチとを有し、少なくとも、前記第２スイッチと前記第３スイッチのいずれか一方がオンとなったとき、そのオンとなった前記第２スイッチと前記第３スイッチのいずれか一方の周囲のみが消去エリアとされ、前記第２スイッチと前記第３スイッチの両方がオンとなったとき、そのオンとなった前記第２スイッチと前記第３スイッチとの間が消去エリアとされることを特徴とする。
また、前記第１スイッチは長尺状の筐体の先端側に設けられ、前記第２スイッチは前記筐体の側面又は背面の長手方向の一方の端部に設けられ、前記第３スイッチは前記長手方向の他方の端部に設けられ、さらに、前記第１スイッチの近傍に配置され、該第１スイッチがオンすると第１周波数の超音波を発する第１超音波発生手段と、前記第２スイッチの近傍に配置され、該第２スイッチがオンすると第２周波数の超音波を発する第２超音波発生手段と、前記第３スイッチの近傍に配置され、該第３スイッチがオンすると第３周波数の超音波を発する第３超音波発生手段とを有し、少なくとも、前記第２スイッチと前記第３スイッチのいずれか一方がオンとなったとき、前記第２周波数の超音波と前記第３周波数のいずれか一方の超音波に基づき、前記第２スイッチと前記第３スイッチのいずれか一方の位置が特定され、その特定された前記第２スイッチと前記第３スイッチのいずれか一方の周囲のみを消去エリアとする狭い範囲の消しゴムモードが実行可能とされ、前記第２スイッチと前記第３スイッチの両方がオンとなったとき、前記第２周波数の超音波と前記第３周波数の両方の超音波に基づき、前記第２スイッチと前記第３スイッチの両方の位置が特定され、その特定された前記第２スイッチと前記第３スイッチとの間を消去エリアとする広い範囲の消しゴムモードが実行可能とされるようにすることもできる。
また、前記第２スイッチは、前記一方の端部の角部に設けられ、前記第３スイッチは、前記他方の端部の角部に設けられているようにすることもできる。
また、前記筐体の表面には、前記パソコンに対して所定のコマンドを実行させるための複数のキースイッチを有する操作部が設けられ、前記筐体の所定の箇所には、前記キースイッチに対応した赤外線コードを発信する赤外線コード発信手段が設けられているようにすることもできる。
本発明のプロジェクタは、パソコンに接続され、該パソコンの画面の画像をボードに投影するプロジェクタ本体と、前記投影された画像に書き込みを加えたり、所定箇所を消去したりするプロジェクタ用操作デバイスと、少なくとも、該プロジェクタ用操作デバイスの前記画像上におけるタッチされた位置を検出し、その位置情報と前記プロジェクタ用操作デバイス側の操作内容を示す操作情報とをパソコン側に伝える手書き認識ユニットとを備え、前記プロジェクタ用操作デバイスは、前記ボードへのタッチによりオンする第１スイッチ及び第２スイッチと、該第２スイッチとは離れた位置に設けられ、前記ボードへのタッチによりオンする第３スイッチとを有することを特徴とする。
また、前記手書き認識ユニットは、前記第１〜第３スイッチのオンに伴い、該第１〜第３スイッチまでの距離を測定する距離測定手段と、該距離測定手段によって測定された距離に基づき、いずれかの前記第１〜第３スイッチの位置を求めるとともに、少なくとも、前記第２スイッチと前記第３スイッチのいずれか一方の周囲のみを消去エリアとするか、あるいは前記第２スイッチと前記第３スイッチとの間を消去エリアとするコマンドを実行させるためのデータを生成する制御処理手段と、該制御処理手段によって生成されたデータを前記パソコンに送信するデータ送信手段とを備えるようにすることもできる。
また、前記プロジェクタ用操作デバイスは、前記第１スイッチが長尺状の筐体の先端側に設けられ、前記第２スイッチが前記筐体の側面又は背面の長手方向の一方の端部に設けられ、前記第３スイッチが前記長手方向の他方の端部に設けられ、さらに、前記第１スイッチの近傍に配置され、該第１スイッチがオンすると第１周波数の超音波を発する第１超音波発生手段と、前記第２スイッチの近傍に配置され、該第２スイッチがオンすると第２周波数の超音波を発する第２超音波発生手段と、前記第３スイッチの近傍に配置され、該第３スイッチがオンすると第３周波数の超音波を発する第３超音波発生手段とを有し、前記手書き認識ユニットは、所定の間隔をおいて配置されるとともに、前記第１周波数〜第３周波数の超音波を検知する第１及び第２超音波検知手段と、これらの第１及び第２超音波検知手段によって検知された超音波のうち、前記第１周波数〜第３周波数のそれぞれの帯域のみを抽出する第１抽出手段〜第３抽出手段とを有し、前記距離測定手段が該第１抽出手段〜第３抽出手段のいずれかによって前記第１周波数〜第３周波数のいずれかの帯域が抽出されると、前記第１及び第２超音波検知手段による超音波の検知時における位相差からいずれかの前記第１〜第３スイッチまでの距離を測定し、前記制御処理手段が該距離測定手段によって測定された距離に基づき、いずれかの前記第１〜第３スイッチの位置を求めるとともに、少なくとも、前記第２スイッチと前記第３スイッチのいずれか一方がオンとなったとき、前記第２スイッチと前記第３スイッチのいずれか一方の周囲のみを消去エリアとするコマンドを実行させるためのデータを生成し、前記第２スイッチと前記第３スイッチの両方がオンとなったとき、前記第２スイッチと前記第３スイッチとの間を消去エリアとするコマンドを実行させるためのデータを生成するようにすることもできる。
本発明のプロジェクタの投影画像の消去方法は、パソコンに接続され、該パソコンの画面の画像をボードに投影するプロジェクタ本体と、前記投影された画像に書き込みを加えたり、所定箇所を消去したりするプロジェクタ用操作デバイスと、少なくとも、該プロジェクタ用操作デバイスの前記画像上におけるタッチされた位置を検出し、その位置情報と前記プロジェクタ用操作デバイス側の操作内容を示す操作情報とをパソコン側に伝える手書き認識ユニットとを備えるプロジェクタの投影画像の消去方法であって、前記プロジェクタ用操作デバイスは、第１スイッチ又は第２スイッチが前記ボードへのタッチによりオンする工程と、該第２スイッチとは離れた位置に設けられた第３スイッチが前記ボードへのタッチによりオンする工程とを有することを特徴とする。
また、前記手書き認識ユニットは、距離測定手段が、前記第１〜第３スイッチのオンに伴い、該第１〜第３スイッチまでの距離を測定する工程と、制御処理手段が、該距離測定手段によって測定された距離に基づき、いずれかの前記第１〜第３スイッチの位置を求めるとともに、少なくとも、前記第２スイッチと前記第３スイッチのいずれか一方の周囲のみを消去エリアとするか、あるいは前記第２スイッチと前記第３スイッチとの間を消去エリアとするコマンドを実行させるためのデータを生成する工程と、データ送信手段が、該制御処理手段によって生成されたデータを前記パソコンに送信する工程とを有するようにすることもできる。
また、前記プロジェクタ用操作デバイスは、前記第１スイッチが長尺状の筐体の先端側に設けられ、前記第２スイッチが前記筐体の側面又は背面の長手方向の一方の端部に設けられ、前記第３スイッチが前記長手方向の他方の端部に設けられ、さらに、前記第１スイッチの近傍に配置された第１超音波発生手段が、該第１スイッチがオンすると第１周波数の超音波を発する工程と、前記第２スイッチの近傍に配置された第２超音波発生手段が、該第２スイッチがオンすると第２周波数の超音波を発する工程と、前記第３スイッチの近傍に配置された第３超音波発生手段が、該第３スイッチがオンすると第３周波数の超音波を発する工程とを有し、前記手書き認識ユニットは、所定の間隔をおいて配置された第１及び第２超音波検知手段が、前記第１周波数〜第３周波数の超音波を検知する工程と、第１抽出手段〜第３抽出手段が、これらの第１及び第２超音波検知手段によって検知された超音波のうち、前記第１周波数〜第３周波数のそれぞれの帯域のみを抽出する工程とを有し、前記距離測定手段が該第１抽出手段〜第３抽出手段のいずれかによって前記第１周波数〜第３周波数のいずれかの帯域が抽出されると、前記第１及び第２超音波検知手段による超音波の検知時における位相差からいずれかの前記第１〜第３スイッチまでの距離を測定し、前記制御処理手段が該距離測定手段によって測定された距離に基づき、いずれかの前記第１〜第３スイッチの位置を求めるとともに、少なくとも、前記第２スイッチと前記第３スイッチのいずれか一方がオンとなったとき、前記第２スイッチと前記第３スイッチのいずれか一方の周囲のみを消去エリアとするコマンドを実行させるためのデータを生成し、前記第２スイッチと前記第３スイッチの両方がオンとなったとき、前記第２スイッチと前記第３スイッチとの間を消去エリアとするコマンドを実行させるためのデータを生成するようにすることもできる。
本発明のプロジェクタ用操作デバイス、プロジェクタ及びプロジェクタの投影画像の消去方法では、プロジェクタ用操作デバイスの筐体の一端側にボードへのタッチによりオンする第１スイッチが設けられ、筐体の一端側の近傍にボードへのタッチによりオンする第２スイッチが設けられ、該第２スイッチとは離れた他端側にボードへのタッチによりオンする第３スイッチが設けられ、少なくとも、第２スイッチと第３スイッチのいずれか一方がオンとなったとき、そのオンとなった第２スイッチと第３スイッチのいずれか一方の周囲のみが消去エリアとされ、第２スイッチと第３スイッチの両方がオンとなったとき、そのオンとなった第２スイッチと第３スイッチとの間が消去エリアとされることから、筐体の一端側又は他端側、さらには筐体の面全体が消去エリアであることを予め認識できる。
【発明の効果】
【００１２】
本発明のプロジェクタ用操作デバイス、プロジェクタ及びプロジェクタの投影画像の消去方法によれば、プロジェクタ用操作デバイスの少なくとも、第２スイッチと第３スイッチのいずれか一方がオンとなったとき、そのオンとなった第２スイッチと第３スイッチのいずれか一方の周囲のみが消去エリアとされる。また、第２スイッチと第３スイッチの両方がオンとなったとき、そのオンとなった第２スイッチと第３スイッチとの間が消去エリアとされる。これにより、筐体の一端側又は他端側、さらには筐体の面全体が消去エリアであることを予め認識でき、書き込んだ文字や図形等を直感的に消去することができる。
【発明を実施するための最良の形態】
【００１３】
以下、本発明の実施形態の詳細について説明する。図１は、本発明のプロジェクタの一実施形態を示す図である。
【００１４】
図１に示すプロジェクタは、プロジェクタ用操作デバイス１０と、プロジェクタ本体３０と、手書き認識ユニット４０とを備えている。
【００１５】
プロジェクタ用操作デバイス１０は、後述のように、プロジェクタ用リモコンの機能と専用の電子ペンの機能とを一体化したものである。ここで、プロジェクタ用リモコンとしては、少なくともＰＣ（パソコン）６０のマウス機能、キーボード６１のＰａｇｅＵｐやＰａｇｅＤｏｗｎ機能をＰＣ（パソコン）６０に実行させるためのＩＲコードを送信する機能を有している。また、専用の電子ペンとしては、少なくとも黒板やホワイトボード等のボード７０にプロジェクタ本体３０によって投影されたＰＣ（パソコン）６０の画面の画像６２に直接、文字や図形等を書き込んだり、書き込んだ文字や図形等、さらには投影した画像の任意の箇所を消去したりする機能等を有している。なお、プロジェクタ用操作デバイス１０の詳細については、後述する。
【００１６】
プロジェクタ本体３０は、ＰＣ（パソコン）６０に対し、コード３１を介してたとえばＵＳＢ（登録商標）接続され（コード３１の一端側が接続される）、ＰＣ（パソコン）６０の画面の画像６２を黒板やホワイトボード等のボード７０に投影する。
【００１７】
手書き認識ユニット４０は、プロジェクタ用操作デバイス１０からの後述の操作部１１の操作に応じたＩＲ（赤外線）によるＩＲコードを受信し、そのＩＲコードをＰＣ（パソコン）６０に与える。また、手書き認識ユニット４０は、黒板やホワイトボード等のボード７０の端にマグネット等で取り付けられるとともに、コード４０ａを介してＰＣ（パソコン）６０にたとえばＵＳＢ（登録商標）接続される（コード４０ａの一端側が接続される）。また、手書き認識ユニット４０は、プロジェクタ用操作デバイス１０からの後述の超音波発生部１８〜１９からの超音波を検知することによって認識できる、後述のプロジェクタ用操作デバイス１０の先端スイッチ１２又は側面スイッチ１６，１７のボード７０上の位置をＰＣ（パソコン）６０に与えたりする。
【００１８】
ここで、ＰＣ（パソコン）６０は、手書き認識ユニット４０をＵＳＢ（登録商標）マウスとして認識し、そのＩＲコードに応じたコマンドを実行するようになっている。なお、手書き認識ユニット４０は、プロジェクタ本体３０内部に搭載されていてもよい。この場合、ＰＣ（パソコン）６０は、プロジェクタ本体３０をＵＳＢ（登録商標）マウスとして認識し、そのＩＲコードに応じたコマンドを実行することになる。また、手書き認識ユニット４０の詳細については、後述する。
【００１９】
次に、プロジェクタ用操作デバイス１０の詳細について、図２及び図３を参照して説明する。ここで、図２はプロジェクタ用操作デバイス１０の外観を示す平面図であり、図３はプロジェクタ用操作デバイス１０の側面側を示す斜視図である。
【００２０】
これらの図に示すように、プロジェクタ用操作デバイス１０の長尺状の筐体１１ｂの表面（操作面）には、少なくともＰＣ（パソコン）６０のマウス機能、キーボード６１のＰａｇｅＵｐやＰａｇｅＤｏｗｎ機能を実行させるための複数のキースイッチ１１ａを有する操作部１１が設けられている。なお、ここでは、プロジェクタ用操作デバイス１０が矩形の長尺状として示しているが、この形状に限らず、楕円形、円形、菱形、四角等の他の形状であってもよいことは勿論である。
【００２１】
また、プロジェクタ用操作デバイス１０の先端側には、第１スイッチである先端スイッチ１２を有するペン先部１３が設けられている。この先端スイッチ１２は、黒板やホワイトボード等のボード７０に押し当てられるとオンする。この先端スイッチ１２がオンすると、後述の超音波発生部１８から周波数ｆ１の超音波が発生されるようになっている。また、その周波数ｆ１の超音波は、手書き認識ユニット４０側で検知されることで、プロジェクタ用操作デバイス１０のペン先部１３が押し当てられている黒板やホワイトボード等のボード７０上の位置が検知されるようになっている。
【００２２】
また、プロジェクタ用操作デバイス１０のペン先部１３を黒板やホワイトボード等のボード７０に押し当てることで、通常の電子ペンのように、黒板やホワイトボード等のボード７０にプロジェクタ本体３０によって投影されたＰＣ（パソコン）６０の画面の画像６２に直接、文字や図形等を書き込んだりすることができるようになっている。
【００２３】
また、プロジェクタ用操作デバイス１０の操作部１１の上下、すなわちプロジェクタ用操作デバイス１０の表面（操作面）の長手方向の両端部には、ＩＲトランスミッタ１４，１５が設けられている。これらのＩＲトランスミッタ１４，１５は、先端スイッチ１２が黒板やホワイトボード等のボード７０に押し当てられてオンすると、ＩＲコードを送信する。
【００２４】
この先端スイッチ１２がオンしたときに送信されるＩＲコードが手書き認識ユニット４０側で受信されると、プロジェクタ用操作デバイス１０のペン先部１３がホワイトボード等のボード７０上にタッチされたことが検知されるようになっている。
【００２５】
また、これらのＩＲトランスミッタ１４，１５は、操作部１１の複数のキースイッチ１１ａのいずれかが操作されると、そのいずれかのキースイッチ１１ａに対応したＩＲコードを送信する。これらのＩＲコードが手書き認識ユニット４０側で検知されると、操作部１１の複数のキースイッチ１１ａのいずれかの操作が認識される。
【００２６】
なお、ＩＲトランスミッタ１４，１５から送信されるＩＲ（赤外線）は指向性を有するものが多い。そのため、通常、手書き認識ユニット４０側にプロジェクタ用操作デバイス１０のペン先部１３を向けてＩＲコードを送信することになるため、そのペン先部１３から近い位置にあるＩＲトランスミッタ１４からＩＲコードが送信されるようになっている。
【００２７】
これに対し、プロジェクタ用操作デバイス１０のペン先部１３が黒板やホワイトボード等のボード７０に押し当てられているときは、ＩＲトランスミッタ１４からＩＲコードが手書き認識ユニット４０側に届かないことがあるため、そのペン先部１３から遠い位置にあるＩＲトランスミッタ１５からＩＲコードが送信されるようになっている。
【００２８】
また、プロジェクタ用操作デバイス１０の側面の長手方向の両端部には、第２スイッチである側面スイッチ１６と、第３スイッチである側面スイッチ１７とが設けられている。これらの側面スイッチ１６，１７は、黒板やホワイトボード等のボード７０に押し当てられるとオンする。このとき、これらの側面スイッチ１６，１７の近傍であってプロジェクタ用操作デバイス１０の内部に配置されている後述の超音波発生部１９，２０からそれぞれ異なる周波数ｆ２，ｆ３の超音波が発生される。
【００２９】
これらのそれぞれ異なる周波数ｆ２，ｆ３の超音波が手書き認識ユニット４０側で検知されると、黒板やホワイトボード等のボード７０上にタッチされた側面スイッチ１６，１７の位置が検出されるとともに、それぞれの側面スイッチ１６，１７を結ぶ「線」の情報がＰＣ（パソコン）６０に与えられるようになっている。これにより、側面スイッチ１６，１７間が消去エリアとされ、黒板消しのように直感的に、黒板やホワイトボード等のボード７０に投影されたＰＣ（パソコン）６０の画面の画像６２や、その画像６２に書き込んだ文字や図形等を消去することができるようになっているが、その詳細については後述する。
【００３０】
なお、これらの側面スイッチ１６，１７の配置位置は、図３のように、プロジェクタ用操作デバイス１０の側面の上部に限られるものではなく、少なくともプロジェクタ用操作デバイス１０の側面の長手方向の角部にあればよい。この場合、たとえば側面スイッチ１６のみがオンとなったとき狭い範囲の消しゴムモードとなり、側面スイッチ１６，１７が共にオンのとき広い範囲の消しゴムモードに切り替わるようにすることができる。これにより、たとえば側面スイッチ１６のみがオンとなって狭い範囲の消しゴムモードとなったとき、プロジェクタ用操作デバイス１０の角を使って小さく消すことが可能となる。一方、側面スイッチ１６，１７が共にオンとなって広い範囲の消しゴムモードとなったとき、プロジェクタ用操作デバイス１０の面を使って大きく消すことが可能となる。
【００３１】
また、これらの側面スイッチ１６，１７は、プロジェクタ用操作デバイス１０の側面に限らず、背面側に設けられるようにしてもよい。この場合、これらの側面スイッチ１６，１７は、少なくともプロジェクタ用操作デバイス１０の背面側の長手方向の角部にあればよい。
【００３２】
次に、プロジェクタ用操作デバイス１０の内部構成について、図４を参照して説明する。ここで、図４はプロジェクタ用操作デバイス１０の内部構成を示すブロック図である。
【００３３】
同図に示すように、プロジェクタ用操作デバイス１０は、超音波発生部１８，１９，２０、ＲＯＭ２１、ＲＡＭ２２、ＣＰＵ２３を有している。
【００３４】
第１超音波発生手段である超音波発生部１８は、上述した先端スイッチ１２の近傍に配置され、その先端スイッチ１２がオンすると、周波数ｆ１（たとえば２５ｋＨｚ）の超音波を発生する。第２超音波発生手段である超音波発生部１９は、上述した側面スイッチ１６の近傍に配置され、その側面スイッチ１６がオンすると、周波数ｆ２（たとえば３５ｋＨｚ）の超音波を発生する。第３超音波発生手段である超音波発生部２０は、上述した側面スイッチ１７の近傍に配置され、その側面スイッチ１７がオンすると、周波数ｆ３（たとえば４５ｋＨｚ）の超音波を発生する。ここで、周波数ｆ１〜ｆ３は、それぞれ異なるものであるため、後述の手書き認識ユニット４０側で識別されるようになっている。なお、周波数ｆ１〜ｆ３の値は、それぞれ２５ｋＨｚ、３５ｋＨｚ、４５ｋＨｚに限定されるものではなく、それぞれ任意に設定することができる。
【００３５】
ＲＯＭ２１には、ＣＰＵ２３による制御手順を示すプログラム等が書き込まれている。ＲＡＭ２２には、ＣＰＵ２３による演算結果が格納される。
【００３６】
ＣＰＵ２３は、各部の動作を制御するものであり、ＩＲ信号生成・送信選択部２３ａと制御処理部２３ｂとを有している。
【００３７】
ＩＲ信号生成・送信選択部２３ａは、先端スイッチ１２がオンしたときや、操作部１１の複数のキースイッチ１１ａのいずれかが操作されたとき、先端スイッチ１２に対応するＩＲコードや、そのいずれかのキースイッチ１１ａに対応したＩＲコードを生成する。また、ＩＲ信号生成・送信選択部２３ａは、上述したように、ＩＲトランスミッタ１４，１５から送信されるＩＲ（赤外線）は指向性を有するものが多いため、先端スイッチ１２がオフのときペン先部１３から近い位置にあるＩＲトランスミッタ１４からＩＲコードが送信されるように選択し、先端スイッチ１２がオンのときペン先部１３から遠い位置にあるＩＲトランスミッタ１５からＩＲコードが送信されるように選択する。
【００３８】
制御処理部２３ｂは、先端スイッチ１２のオン、側面スイッチ１６，１７のオン、操作部１１の複数のキースイッチ１１ａのいずれかの操作に応じて超音波発生部１８〜２０、ＩＲトランスミッタ１４，１５の動作を制御する。
【００３９】
次に、手書き認識ユニット４０の内部構成について、図５〜図７を参照して説明する。ここで、図５は手書き認識ユニット４０の内部構成を示すブロック図であり、図６は手書き認識ユニット４０に設けられている複数のバンドパスフィルタの特性を示す図であり、図７は手書き認識ユニット４０に設けられている距離測定部による測定方法を説明するための図である。
【００４０】
まず、図５に示すように、手書き認識ユニット４０は、ＵＳＢ（登録商標）端子４１、赤外線受光部４２、集音センサ４３，４４、バンドパスフィルタ４５，４６，４７、ＣＰＵ４８を有している。
【００４１】
ＵＳＢ（登録商標）端子４１には、上述したＰＣ（パソコン）６０に対しＵＳＢ（登録商標）接続されるコード４０ａの他端側が接続されるようになっている。赤外線受光部４２は、上述したＩＲトランスミッタ１４，１５からのＩＲコードを受信する。第１及び第２超音波検知手段である集音センサ４３，４４は、上述した超音波発生部１８〜２０からのそれぞれ周波数ｆ１〜ｆ３の異なる超音波を検知する。
【００４２】
第１抽出手段〜第３抽出手段であるバンドパスフィルタ４５，４６，４７は、それぞれ異なる周波数ｆ１〜ｆ３に対応させた周波数特性を有している。すなわち、図６（ａ）はバンドパスフィルタ４５の周波数特性を示すものであり、たとえば２５ｋＨｚの周波数ｆ１のみを通過させる通過帯域を有している。図６（ｂ）はバンドパスフィルタ４６の周波数特性を示すものであり、たとえば３５ｋＨｚの周波数ｆ２のみを通過させる通過帯域を有している。図６（ｃ）はバンドパスフィルタ４７の周波数特性を示すものであり、たとえば４５ｋＨｚの周波数ｆ３のみを通過させる通過帯域を有している。なお、バンドパスフィルタ４５，４６，４７のそれぞれの通過帯域は、それぞれ２５ｋＨｚ、３５ｋＨｚ、４５ｋＨｚに限定されるものではなく、それぞれ任意に設定することができる。
【００４３】
ＣＰＵ４８は、プロジェクタ用操作デバイス１０からの超音波やＩＲコードを受信し、ＰＣ（パソコン）６０にプロジェクタ用操作デバイス１０側での操作情報やプロジェクタ用操作デバイス１０の位置情報等を送信するものであり、距離測定部４８ａ、動作送信部４８ｂ、制御処理部４８ｃを有している。
【００４４】
距離測定手段である距離測定部４８ａは、集音センサ４３，４４によって取り込まれた周波数ｆ２，ｆ３からプロジェクタ用操作デバイス１０の側面スイッチ１６，１７までの距離を測定する。
【００４５】
データ送信手段である動作送信部４８ｂは、プロジェクタ用操作デバイス１０からの超音波やＩＲコードに基づいたプロジェクタ用操作デバイス１０側での操作情報やプロジェクタ用操作デバイス１０の位置情報等を送信する。
【００４６】
制御処理手段である制御処理部４８ｃは、プロジェクタ用操作デバイス１０からの超音波やＩＲコードに基づくプロジェクタ用操作デバイス１０側での操作情報やプロジェクタ用操作デバイス１０の位置情報等を生成し、動作送信部４８ｂから送信させる。
【００４７】
また、制御処理部４８ｃは、側面スイッチ１６，１７のいずれか一方がオンとなったことを周波数ｆ２，ｆ３のいずれか一方の検知によって認識すると、側面スイッチ１６，１７のいずれか一方の周囲のみを消去エリア（小）とする狭い範囲の消しゴムモードを実行させるためのコマンドに対応するデータを生成し、動作送信部４８ｂから送信させる。
【００４８】
また、制御処理部４８ｃは、側面スイッチ１６，１７の両方がオンとなったことが周波数ｆ２，ｆ３の両方の検知によって認識すると、側面スイッチ１６，１７間を結ぶ消去エリア（大）とする広い範囲の消しゴムモードを実行させるためのコマンドに対応するデータを生成し、動作送信部４８ｂから送信させる。
【００４９】
また、制御処理部４８ｃは、距離測定部４８ａによって測定されたペン先部１３の先端スイッチ１２までの距離や側面スイッチ１６，１７までの距離に基づき、黒板やホワイトボード等のボード７０上でのペン先部１３の先端スイッチ１２の位置や側面スイッチ１６，１７の位置を検出する。
【００５０】
ここで、黒板やホワイトボード等のボード７０上でのペン先部１３の先端スイッチ１２の位置や側面スイッチ１６，１７の位置を検出する場合は、周知技術を用いることができる。すなわち、ボード７０上でのペン先部１３の先端スイッチ１２の位置は、集音センサ４３，４４によって検知される周波数ｆ１の位相差によって認識できる。そのため、予めたとえばプロジェクタ本体３０によってボード７０上に投影されたＰＣ（パソコン）６０の画面の画像６２の四隅をプロジェクタ用操作デバイス１０のペン先部１３で指定することで手書き認識ユニット４０にその画像６２の四隅の位置を覚えこませることができる。その後は、プロジェクタ用操作デバイス１０のペン先部１３の位置と先に覚えこませた画像６２の四隅の位置とを比較することでペン先部１３の画像６２上の座標が算出される。
【００５１】
また、ボード７０上での側面スイッチ１６，１７間を結ぶ「線」の情報は、上記同様に、集音センサ４３，４４によって検知される周波数ｆ２，ｆ３のそれぞれの位相差によって認識できる。
【００５２】
すなわち、図７に示すように、超音波発生部１９が発生する超音波（周波数＝ｆ２）と、超音波発生部２０が発生する超音波（周波数＝ｆ３）とを集音センサ４３，４４にて別々に取り込み、周波数ｆ２の位相差である△Ａ２Ｂ２及び周波数ｆ３の位相差である△Ａ３Ｂ３を演算処理により求めることで、黒板やホワイトボード等のボード７０上にタッチされた側面スイッチ１６，１７間を結ぶ「線」の情報を求めることができる。このように「線」の情報が求められることで、後述のように、側面スイッチ１６，１７間での消去エリアを設定、すなわち消去エリア（大）とした広い範囲の消しゴムモードとすることが可能となる。
【００５３】
なお、側面スイッチ１６又は側面スイッチ１７のいずれか一方のみがオンし、超音波発生部１９又は超音波発生部２０から発生される超音波（周波数＝ｆ２）又は超音波（周波数＝ｆ３）のみが集音センサ４３，４４にによって取り込まれた場合には、側面スイッチ１６又は側面スイッチ１７の周囲のみが消去エリアとなる設定、すなわち消去エリア（小）とした狭い範囲の消しゴムモードとすることも可能となる。
【００５４】
次に、プロジェクタ用操作デバイス１０の動作について、図８〜図１０を参照して説明する。ここで、図８はプロジェクタ用操作デバイス１０側の制御動作を説明するためのフローチャートであり、図９及び図１０はプロジェクタ用操作デバイス１０による消去範囲を説明するための図である。
【００５５】
まず、図８において、ペン先部１３の先端スイッチ１２がオンしたかどうかが判断される（ステップＳ１）。ここで、ペン先部１３の先端スイッチ１２が黒板やホワイトボード等のボード７０に押し当てられてオンすると、超音波発生部１８により周波数ｆ１の超音波が発生される（ステップＳ２）。これに対し、ペン先部１３の先端スイッチ１２がオンしなければ、超音波発生部１８からの周波数ｆ１の超音波が発生しない（ステップＳ３）。
【００５６】
次に、側面スイッチ１６がオンしたかどうかが判断される（ステップＳ４）。ここで、側面スイッチ１６が黒板やホワイトボード等のボード７０に押し当てられてオンすると、超音波発生部１９により周波数ｆ２の超音波が発生される（ステップＳ５）。これに対し、側面スイッチ１６がオンしなければ、超音波発生部１９からの周波数ｆ２の超音波が発生しない（ステップＳ６）。
【００５７】
ここで、側面スイッチ１６のみがオンしている場合、図９に示すように、消去エリアが側面スイッチ１６の周囲のみとされる。この場合、消去エリア（小）とした狭い範囲の消しゴムモードとされ、プロジェクタ用操作デバイス１０の角を使って小さく消すことが可能となる。
【００５８】
次に、側面スイッチ１７がオンしたかどうかが判断される（ステップＳ７）。ここで、側面スイッチ１７が黒板やホワイトボード等のボード７０に押し当てられてオンすると、超音波発生部２０により周波数ｆ３の超音波が発生される（ステップＳ８）。これに対し、側面スイッチ１７がオンしなければ、超音波発生部２０からの周波数ｆ３の超音波が発生しない（ステップＳ９）。
【００５９】
ここで、側面スイッチ１７のみがオンしている場合、上記同様に、消去エリアが側面スイッチ１７の周囲のみとされ、プロジェクタ用操作デバイス１０の角を使って小さく消すことが可能となる。
【００６０】
一方、側面スイッチ１６と側面スイッチ１７とが共にオンしている場合、図１０に示すように、側面スイッチ１６と側面スイッチ１７とを囲む消去エリア（大）とした広い範囲の消しゴムモードとされ、プロジェクタ用操作デバイス１０の面を使って大きい範囲を消去することができるようになる。このように、消去エリア（大）とした広い範囲の消しゴムモードとされることで、黒板やホワイトボード等のボード７０にチョークやマジックで書き込んだ文字や図形等を消去する黒板消しのように、投影した画像６２や、その投影した画像６２に重ねて書き込んだ文字や図形等を直感的に消去すことができる。
【００６１】
次に、操作部１１の複数のキースイッチ１１ａのいずれかが操作されたかどうかが判断される（ステップＳ１０）。ここで、いずれかのキースイッチ１１ａが操作されると、そのいずれかのキースイッチ１１ａに対応したＩＲコードが送信される。これに対し、いずれかのキースイッチ１１ａの操作がなければ、そのいずれかのキースイッチ１１ａに対応したＩＲコードの送信が行われない。
【００６２】
次に、手書き認識ユニット４０の動作について、図１１を参照して説明する。ここで、図１１は手書き認識ユニット４０側の制御動作を説明するためのフローチャートである。  
【００６３】
まず、プロジェクタ用操作デバイス１０側の超音波発生部１８からの周波数ｆ１の超音波が検知されたかどうかが判断される（ステップＳ２０）。ここで、周波数ｆ１の超音波が検知されると、プロジェクタ用操作デバイス１０のペン先部１３が押し当てられている黒板やホワイトボード等のボード７０上の位置が検知される（ステップＳ２１）。
【００６４】
次に、プロジェクタ用操作デバイス１０側の超音波発生部１９からの周波数ｆ２の超音波が検知されたかどうかが判断される（ステップＳ２２）。ここで、周波数ｆ２の超音波が検知されると、プロジェクタ用操作デバイス１０の一方の側面スイッチ１６が押し当てられている黒板やホワイトボード等のボード７０上の位置が検知される（ステップＳ２３）。
【００６５】
次に、プロジェクタ用操作デバイス１０側の超音波発生部２０からの周波数ｆ３の超音波が検知されたかどうかが判断される（ステップＳ２４）。ここで、周波数ｆ３の超音波が検知されると、プロジェクタ用操作デバイス１０の他方の側面スイッチ１７が押し当てられている黒板やホワイトボード等のボード７０上の位置が検知される（ステップＳ２５）。
【００６６】
そして、黒板やホワイトボード等のボード７０上にタッチされた側面スイッチ１６，１７間を結ぶ「線」の情報が求められ、側面スイッチ１６，１７間での消去エリアが設定、すなわち消去エリア（大）とした消去モードとされる（ステップＳ２６）。
【００６７】
このように、本実施形態では、プロジェクタ用操作デバイス１０の少なくとも、第２スイッチである側面スイッチ１６と第３スイッチである側面スイッチ１７のいずれか一方がオンとなったとき、手書き認識ユニット４０により第２超音波発生手段である超音波発生部１９からの第２周波数（ｆ２）の超音波と第３超音波発生手段である超音波発生部２０からの第３周波数（ｆ３）のいずれか一方の超音波に基づき、側面スイッチ１６と側面スイッチ１７のいずれか一方の位置が特定されるとともに、その特定された側面スイッチ１６と側面スイッチ１７のいずれか一方の周囲のみを消去エリアとする狭い範囲の消しゴムモードが実行可能とされる。また、側面スイッチ１６と側面スイッチ１７の両方がオンとなったとき、手書き認識ユニット４０により第２周波数（ｆ２）の超音波と第３周波数（ｆ３）の両方の超音波に基づき、側面スイッチ１６と側面スイッチ１７の両方の位置が特定されるとともに、その特定された側面スイッチ１６と側面スイッチ１７との間を消去エリアとする広い範囲の消しゴムモードが実行可能とされる。これにより、筐体１１ｂの角又は面全体が消去エリアであることを予め認識でき、書き込んだ文字や図形等を直感的に消去することができる。
【００６８】
また、手書き認識ユニット４０側では、それぞれ異なる周波数ｆ１〜ｆ３に対応させた周波数特性を有しているバンドパスフィルタ４５，４６，４７を有し、少なくとも集音センサ４３，４４によって取り込まれた周波数ｆ２，ｆ３からプロジェクタ用操作デバイス１０の側面スイッチ１６，１７までの距離が距離測定部４８ａにより測定される。また、制御処理部４８ｃにより、側面スイッチ１６，１７のいずれか一方がオンとなったことが周波数ｆ２，ｆ３のいずれか一方の検知によって認識されると、側面スイッチ１６，１７のいずれか一方の周囲のみを消去エリア（小）とする狭い範囲の消しゴムモードを実行させるためのコマンドに対応するデータが生成されて動作送信部４８ｂから送信される。また、側面スイッチ１６，１７の両方がオンとなったことが周波数ｆ２，ｆ３の両方の検知によって認識されると、側面スイッチ１６，１７間を結ぶ消去エリア（大）とする広い範囲の消しゴムモードを実行させるためのコマンドに対応するデータが生成されて動作送信部４８ｂから送信される。これにより、ＰＣ（パソコン）６０に接続されているプロジェクタ本体３０から投影される画像６２がプロジェクタ用操作デバイス１０による消去に応じた内容にリアルタイムで変更されるようにすることができる。
【００６９】
また、本実施形態では、プロジェクタ用操作デバイス１０を、プロジェクタ用リモコンの機能と専用の電子ペンの機能とを一体化させたものとしているので、２つの入力デバイスを持ち替えるような操作が無くなり、非常に便利なものとなる。
【００７０】
すなわち、手書き入力対応のシステムとプロジェクタとを組み合わせた場合、使用者にとっては入力デバイスが２つあることになってしまう。つまり、専用の電子ペンと、プロジェクタ用リモコン（ＰＣのマウス機能、キーボードのＰａｇｅＵｐ、ＰａｇｅＤｏｗｎ機能を含む）との２つである。
【００７１】
この場合、たとえばマイクロソフトのプレゼンテーション用ソフトであるパワーポイントのスライドに対して、専用の電子ペンでアンダーラインの描画を加えたり、たとえばマイクロソフトの表計算ソフトであるエクセルで作成した問題に対して、電子ペンで回答を書き込むようなケースのとき、次の１．〜６．等のような操作が行われることになる。
１．プロジェクタ用リモコンを使って、スライドを次のページに送る。
２．電子ペンに持ち替える。
３．電子ペンを使って、文字を書き込む。
４．プロジェクタ用リモコンに持ち替える。
５．プロジェクタ用リモコンを使って、プロジェクタの操作を行う。
６．プロジェクタ用リモコンを使って、スライドを次のページに送る。
【００７２】
このように、専用の電子ペンと、プロジェクタ用リモコンとを用いるようにすると、頻繁にこれらの２つの入力デバイスを持ち替える必要があり、使用者に不便を強いてしまうことになるが、本実施形態のように、プロジェクタ用操作デバイス１０を、プロジェクタ用リモコンの機能と専用の電子ペンの機能とを一体化させたものとすると、２つの入力デバイスを持ち替えるような操作が不要となる。
【００７３】
なお、本実施形態では、プロジェクタ用操作デバイス１０の側面スイッチ１６，１７が黒板やホワイトボード等のボード７０にタッチされるとオンするものとして説明したが、この例に限らず、ボード７０への押付力によって検知出力が変化する圧電センサ等のようなスイッチとすることも可能である。この場合、ボード７０への押付力によって検知出力が変化することを利用することで、プロジェクタ用操作デバイス１０による消去の度合いを変更することができる。
【００７４】
また、本実施形態では、プロジェクタ用操作デバイス１０を、プロジェクタ用リモコンの機能と専用の電子ペンの機能とを一体化させたものとして説明したが、これに限らず、専用の電子ペンにも適用することができる。
【００７５】
すなわち、図１２に示すように、先端スイッチ８１を有する専用の電子ペン８０の側面の長手方向の両端に側面スイッチ８２，８３を設けるようにする。また、電子ペン８０には、上述した超音波発生部１８〜２０を設けるようにする。
【００７６】
このようにすると、上記同様に、側面スイッチ８２及び／又は８３の位置が検出されることで、電子ペン８０に小さい範囲の消去エリアと広い範囲の消去エリアが設けられることになる。なお、ここでは、電子ペン８０が矩形の長尺状として示しているが、この形状に限らず、上記同様に、楕円形、円形、菱形、四角等の他の形状であってもよいことは勿論である。
【図面の簡単な説明】
【００７７】
【図１】本発明のプロジェクタの一実施形態を示す図である。
【図２】図１のプロジェクタ用操作デバイスの外観を示す平面図である。
【図３】図１のプロジェクタ用操作デバイスの側面側を示す斜視図である。
【図４】図１のプロジェクタ用操作デバイスの内部構成を示すブロック図である。
【図５】図１の手書き認識ユニットの内部構成を示すブロック図である。
【図６】図５の手書き認識ユニットに設けられている複数のバンドパスフィルタの特性を示す図である。
【図７】図５の手書き認識ユニットに設けられている距離測定部による測定方法を説明するための図である。
【図８】図１のプロジェクタ用操作デバイス側の制御動作を説明するためのフローチャートである。
【図９】図１のプロジェクタ用操作デバイスによる消去範囲を説明するための図である。
【図１０】図１のプロジェクタ用操作デバイスによる消去範囲を説明するための図である。
【図１１】図１の手書き認識ユニット側の制御動作を説明するためのフローチャートである。
【図１２】本発明のプロジェクタ用操作デバイスを電子ペンに適用した場合の他の実施形態を説明するための図である。
【図１３】従来の黒板やホワイトボード等のボードにチョークやマジックで書き込んだ文字や図形等を黒板消しにより消去する場合と、電子ペンによってホワイトボード上に書き込んだ文字や図形等を電子ペンの「消しゴムツール」の機能によって消去する場合とを比較して説明するための図である。
【符号の説明】
【００７８】
１０  プロジェクタ用操作デバイス
１１  操作部
１１ａ  キースイッチ
１１ｂ  筐体
１２  先端スイッチ
１３  ペン先部
１４，１５  ＩＲトランスミッタ
１６，１７  側面スイッチ
１８〜２０  超音波発生部
２３  ＣＰＵ
２３ａ  ＩＲ信号生成・送信選択部
２３ｂ  制御処理部
３０  プロジェクタ本体
４０  手書き認識ユニット
４２  赤外線受光部
４３，４４  集音センサ
４５〜４７  バンドパスフィルタ
４８  ＣＰＵ
４８ａ  距離測定部
４８ｂ  動作送信部
４８ｃ  制御処理部
６０  ＰＣ（パソコン）
６２  画像
７０  ボード
８０  電子ペン
８１  先端スイッチ
８２，８３  側面スイッチ
【図１】
2010067065.tif 000003
【図２】
2010067065.tif 000004
【図３】
2010067065.tif 000005
【図４】
2010067065.tif 000006
【図５】
2010067065.tif 000007
【図６】
2010067065.tif 000008
【図７】
2010067065.tif 000009
【図８】
2010067065.tif 000010
【図９】
2010067065.tif 000011
【図１０】
2010067065.tif 000012
【図１１】
2010067065.tif 000013
【図１２】
2010067065.tif 000014
【図１３】
2010067065.tif 000015